(57)【要約】【課題】５本の指を個別に挿入することができ、５本の指を個別に挿入しない靴下と同様の外観を備え、指が個別に挿入される挿入部を清潔に保つことができる靴下を提供する。【解決手段】爪先部内側に５本の指を挿入する空間を仕切る４つの隔壁部２を備え、この４つの隔壁部２およびこの４つの隔壁部２により形成される５本の指挿入部９の下側の足底部を抗菌・抗カビ・防臭効果のある成分が含まれる糸を材料に用いて編成されるので、足指挿入部９が分別されていない靴下と同様の外観を備え、足指挿入部９に汚れが溜まりにくい靴下とすることができる。【選択図】図２
2013032599.tif 000002
【特許請求の範囲】
【請求項１】
爪先部内側に５本の指を挿入する空間を仕切る４つの隔壁を備え、この４つの隔壁およびこの４つの隔壁により形成される５本の指挿入部の下側の足底部を抗菌・抗カビ・防臭効果のある成分が含まれる糸を材料に用いて編成してなることを特徴とする靴下。
【請求項２】
爪先部内側に５本の指を挿入する空間を仕切る４つの隔壁を備え、この４つの隔壁およびこの４つの隔壁により形成される５本の指挿入部の下側の足底部を抗菌・抗カビ・防臭効果のある成分が含まれる糸を材料に用いて編成してなることを特徴とする足カバー。
【請求項３】
隣り合う２つのキャリアをグランド編成用として用い、他のキャリアのうち、隣り合う２つのキャリアを４つの隔壁およびこの隔壁により形成される５本の指挿入部の下側の足底部編成用として用い、残りのキャリアのうち１つのキャリアをゴム糸挿入用として用いることを特徴とする請求項１に記載の靴下または請求項２に記載の足カバーの製造方法。
【発明の詳細な説明】
【技術分野】
【０００１】
本発明は、５本の隣り合う指を隔てる隔壁を備えた靴下，足カバーおよびその製造方法に関する。
【背景技術】
【０００２】
従来、つま先部分に５本の指を個別に挿入することができる５本指靴下は一般に知られている。
たとえば特許文献１には、個別に指を挿入する挿入部の裏糸には本体部と同じ糸を挿入し、挿入部の表糸には本体部よりも伸びが小さい弾性糸を挿入して、靴下を履いたとき指が締め付けられる締め付け感を和らげる発明が記載されている。
【先行技術文献】
【特許文献】
【０００３】
【特許文献１】特開２００９−１２０９８２号公報
【発明の概要】
【発明が解決しようとする課題】
【０００４】
特許文献１などに記載の５本指靴下は、指の形状に分別された指挿入部が外部に露出しているので、一目で５本指靴下ということが分かり美観を損ねる。また、個々の足指挿入部は袋状に形成されているので、足指挿入部の汚れが落ちにくく清潔に保つことが難しいという問題がある。
本発明の目的は、５本の指を個別に挿入することができ、５本の指を個別に挿入しない靴下と同様の外観を備え、指が個別に挿入される挿入部を清潔に保つことができる靴下を提供することである。
【課題を解決するための手段】
【０００５】
請求項１に記載の靴下は、爪先部内側に５本の指を挿入する空間を仕切る４つの隔壁を備え、この４つの隔壁およびこの４つの隔壁により形成される５本の指挿入部の下側の足底部を抗菌・抗カビ・防臭効果のある成分が含まれる糸を材料に用いて編成してなることを特徴とする。
【０００６】
請求項２に記載の足カバーは、爪先部内側に５本の指を挿入する空間を仕切る４つの隔壁を備え、この４つの隔壁およびこの４つの隔壁により形成される５本の指挿入部の下側の足底部を抗菌・抗カビ・防臭効果のある成分が含まれる糸を材料に用いて編成してなることを特徴とする。
【０００７】
請求項３に記載の発明は、請求項１に記載の靴下または請求項２に記載の足カバーの製造方法であって、隣り合う２つのキャリアをグランド編成用として用い、他のキャリアのうち、隣り合う２つのキャリアを４つの隔壁およびこの隔壁により形成される５本の指挿入部の下側の足底部編成用として用い、残りのキャリアのうち１つのキャリアをゴム糸挿入用として用いることを特徴とする。
【発明の効果】
【０００８】
請求項１の発明によれば、爪先部内側に５本の指を挿入する空間を仕切る４つの隔壁を備えるので、５本の指を個別に挿入することができるとともに５本の指を個別に挿入しない靴下と同様の外観とすることができ、この４つの隔壁およびこの４つの隔壁により形成される５本の指挿入部の下側の足底部は抗菌・抗カビ・防臭効果のある成分が含まれる糸を材料として編成されるので、指が個別に挿入される挿入部を清潔に保つことができる。
【図面の簡単な説明】
【０００９】
【図１】本発明の一実施の形態に係る靴下の平面図である。
【図２】靴下の下面図である。
【図３】靴下のＡ−Ａ断面図である。
【図４】靴下のＢ−Ｂ断面図である。
【図５】足カバーの平面図である。
【図６】足カバーの下面図である。
【発明を実施するための形態】
【００１０】
以下、本発明の一実施の形態について図１〜図６に基づいて説明する。図１は本発明の一実施の形態に係る靴下１の平面図である。図２は靴下１の下面図である。図３は靴下１のＡ−Ａ断面図である。図４は靴下１のＢ−Ｂ断面図である。図５は足カバー１１の平面図である。図６は足カバー１１の下面図である。
靴下１は、隔壁部２と隔壁連結部３とグランド４とを備える。隔壁部２は、靴下１の内側つま先部に設けられ、つま先部に挿入された隣り合う２本の指は隔壁部２によって隔てられる。隔壁部２の上端部は足の甲側のグランド４内面に連結され、隔壁部２の下端部は隔壁連結部３に連結されている。隔壁部２のつま先側端面５は、グランド４のつま先部内面６に連結されておらず、つま先側端面５とつま先部内面６との間には隙間７が設けられている。
【００１１】
キャリアを６つ備えた編機で靴下１を編成する場合について説明する。編機には、編機の手前側から奥側に向かって第１キャリア，第２キャリア，第３キャリア，第４キャリア，第５キャリアおよび第６キャリアが設置されている。第１キャリア〜第６キャリアは糸道である。靴下１は、開口部８側からつま先側に向かって編成され、靴下１の開口部８側には、不図示の係止部が編成される。係止部は不図示のローラーに挟まれた状態で下方に送られ、靴下１は下方に引っ張られた状態で編成される。係止部の端部には第１キャリアによって抜き糸が編成され、靴下１は抜き糸を介して編成される。抜き糸は靴下が編成された後に抜き取られ、係止部が靴下本体から取り除かれる。
【００１２】
４つの隔壁部２は隔壁連結部３に連続して形成されるので、第２キャリアと第３キャリアとを用いて２本の糸を同時に引き込みながらプレーティングによって編成可能である。４つの隔壁部２が各々離れた位置で形成される場合には、第２キャリアと第３キャリアとのみで隔壁部２のすべてを編成することができず、第１キャリア〜第６キャリアの６つのキャリアが設けられた一般の編機で靴下１を編成することができない。本実施の形態においては、隔壁連結部３を設定することによって、隔壁部２を分離した状態で編成することなく、隔壁連結部３と一体的に編成することができる。これによって、隔壁部２は、第２キャリアと第３キャリアとを用いてプレーティングによって編成可能とされる。
【００１３】
靴下１は、指が個別に挿入される袋状の指挿入部９が外部に露出した状態で形成されるものではなく、指を各々個別に収容するための隔壁部２が靴下１の内側に設けられるので、通常の靴下と同様にすっきりした外観とすることができる。
【００１４】
指が個別に挿入される指挿入部９は袋状になっておらず、隔壁部２のつま先側端面５とつま先部内面６との間には隙間７が設けられているので、つま先部に汚れが溜まりにくく、指が挿入される指挿入部９を清潔に保つことができる。
【００１５】
隔壁部２に抗カビ・制菌・抗菌防臭・消臭等に効果がある糸を用いて編成したい場合がある。これらの高価な糸を靴下全体に用いるとコストアップに繋がるが、靴下１においては隔壁部２と隔壁連結部３とのみに用いることができコスト削減を図ることができる。
【００１６】
なお、グランド４は、第４キャリアと第５キャリアとを用いて２本の糸を同時に引き込みながらプレーティングによって編成される。
本実施の形態において、靴下１は足底側を機械の手前側に配置した状態で編成されるので、隔壁部２と隔壁連結部３とは、機械の手前側に位置し互いに隣り合う第２キャリアと第３キャリアとを用いて編成され、グランド４は、第２キャリアと第３キャリアとよりも奥側に位置し互いに隣り合う第４キャリアと第５キャリアとを用いて編成される。これによって、蹴り返しのときにキャリアから供給される糸同士が交差して、靴下１の甲側と足底側とが縫い合わされることを防止することができる。
【００１７】
靴下１が足底側を機械の奥側に配置した状態で編成される場合には、隔壁部２と隔壁連結部３とは、機械の奥側に位置し互いに隣り合う第４キャリアと第５キャリアとを用いて編成され、グランド４は、第４キャリアと第５キャリアとよりも手前側に位置し互いに隣り合う第２キャリアと第３キャリアとを用いて編成される。なお、開口部８に編成されるゴム糸１０は第６キャリアを用いて編成される。
【００１８】
本実施の形態においては、靴下１について説明したが、本発明は靴下１に限定されるものではなく、たとえば図５および図６に示すような足の甲とつま先とを覆う足カバー１１であっても良い。
【００１９】
このように、請求項１に記載の靴下１は、つま先部内側に５本の指を挿入する空間を仕切る４つの隔壁である隔壁部２を備え、この４つの隔壁部２およびこの４つの隔壁部２により形成される５本の指挿入部の下側の足底部である隔壁連結部３を抗菌・抗カビ・防臭効果のある成分が含まれる糸を材料に用いて編成されるので、指挿入部９が分別されていない靴下と同様の外観を備え、指挿入部９に汚れが溜まりにくい靴下１とすることができる。
さらに、隣り合う２つのキャリアをグランド４編成用として用い、他のキャリアのうち、隣り合う２つのキャリアを４つの隔壁部２およびこの隔壁部２により形成される５本の指挿入部９の下側の隔壁連結部３編成用として用い、残りのキャリアのうち１つのキャリアをゴム糸挿入用として用いるので、キャリアを６つ備えた編機で靴下１を製造することができる。
【符号の説明】
【００２０】
１    靴下
２    隔壁部
３    隔壁連結部
４    グランド
５    つま先側端面
６    つま先部内面
７    隙間
８    開口部
９    指挿入部
１１    足カバー
【図１】
2013032599.tif 000003
【図２】
2013032599.tif 000004
【図３】
2013032599.tif 000005
【図４】
2013032599.tif 000006
【図５】
2013032599.tif 000007
【図６】
2013032599.tif 000008